(57)【特許請求の範囲】
【請求項１】
給水源から導入した洗浄水を噴出することにより、人体を洗浄する洗浄機能を有する温水洗浄便座装置であって、
前記洗浄水が流れる洗浄水路と、
前記洗浄水路に設けられ、前記洗浄水を加熱する加熱ヒータと、
前記洗浄水路において前記加熱ヒータにより加熱された前記洗浄水に接触可能に設けられ、導電性を有する導電部材と、
一端が前記導電部材に接続され、他端が接地されたアース線と、
前記加熱ヒータと前記導電部材とを電気的に直列に接続するように設けられ、所定の電気抵抗値を有する抵抗体と、を備え、
前記導電部材は、前記加熱ヒータを制御する制御装置の放熱を行う放熱部材である温水洗浄便座装置。
【請求項２】
前記抵抗体は、
前記洗浄水路における前記加熱ヒータと前記導電部材との間を接続する接続水路と、
前記接続水路を流れる前記洗浄水と、によって構成される請求項１記載の温水洗浄便座装置。
【請求項３】
前記放熱部材は、前記制御装置に実装された半導体素子の放熱を行う請求項１又は２に記載の温水洗浄便座装置。
【請求項４】
前記所定の電気抵抗値は、前記加熱ヒータが漏電し、かつ、前記洗浄水路に前記洗浄水が流れた場合に、前記アース線を流れる電流値が１０ｍＡ以下となるように設定されている請求項１〜３の何れか一項に記載の温水洗浄便座装置。
【発明の詳細な説明】
【技術分野】
【０００１】
本発明は、温水洗浄便座装置に関する。
【背景技術】
【０００２】
温水洗浄便座装置の一形態として、特許文献１に示されているものが知られている。特許文献１の温水洗浄便座装置には、特許文献１の図６に示すように、電源プラグ６に漏電保護装置１３０（漏電遮断器）が設けられている。温水洗浄便座装置１３５に漏電が発生した場合、漏電保護装置１３０が温水洗浄便座装置１３５への通電を遮断して、漏電による使用者の感電を防止している。
【先行技術文献】
【特許文献】
【０００３】
【特許文献１】特開２００３−５１２３８号公報
【発明の概要】
【発明が解決しようとする課題】
【０００４】
近年、家屋の配電盤に漏電遮断器の設置が義務化されたこと、および、温水洗浄便座装置の低コスト化の要請から、漏電遮断器が設置された家屋には、漏電遮断器を搭載しない温水洗浄便座装置が取り付けられる場合がある。また、人体を洗浄する洗浄水を加熱する加熱ヒータが組み込まれた温水洗浄便座装置には、加熱ヒータを直接または洗浄水を介して間接に接地することがＪＩＳ規格にて規定されている（ＪＩＳ規格番号；ＪＩＳ  Ｃ９３３５−１，ＪＩＳ  Ｃ９３３５−２−８４）。
【０００５】
漏電遮断器を搭載しない温水洗浄便座装置において、加熱ヒータの漏電が発生した場合、使用者がアース線または噴出された洗浄水に接触したとき、使用者が感電することが考えられる。このときにおいて、温水洗浄便座装置がアース線によって接地されている場合には、使用者に流れる電流値が比較的小さくなる。一方、このときにおいて、温水洗浄便座装置が接地されていない場合には、使用者に流れる電流値が、家屋に設置された漏電遮断器の定格感度電流以下の範囲内になると考えられる。
【０００６】
本発明は、上述した問題を解消するためになされたもので、漏電遮断器を搭載しない温水洗浄便座装置において、洗浄水を加熱する加熱ヒータの接地が行われていない場合においても、加熱ヒータの漏電により使用者が感電したときに、使用者に流れる電流値を抑制することを目的とする。
【課題を解決するための手段】
【０００７】
上記の課題を解決するため、請求項１に係る温水洗浄便座装置は、給水源から導入した洗浄水を噴出することにより、人体を洗浄する洗浄機能を有する温水洗浄便座装置であって、洗浄水が流れる洗浄水路と、洗浄水路に設けられ、洗浄水を加熱する加熱ヒータと、洗浄水路において加熱ヒータにより加熱された洗浄水に接触可能に設けられ、導電性を有する導電部材と、一端が導電部材に接続され、他端が接地されたアース線と、加熱ヒータと導電部材とを電気的に直列に接続するように設けられ、所定の電気抵抗値を有する抵抗体と、を備え、導電部材は、加熱ヒータを制御する制御装置の放熱を行う放熱部材である。
【発明の効果】
【０００８】
これによれば、導電部材がアース線の一端に接続され、かつ、アース線の他端が接地されている場合において、洗浄水を加熱する加熱ヒータが漏電したとき、洗浄水および導電部材を介してアース線に流れる電流値が、加熱ヒータと導電部材とを電気的に直列に接続する抵抗体によって所定電流値以下となる。また、洗浄水路において、アース線の一端を接続された導電部材が加熱ヒータより下流側に設けられている。よって、アース線の他端が接地されていない場合において、加熱ヒータが漏電したとき、使用者がアース線の他端に接触、または、洗浄水路を通って噴出された洗浄水に使用者が接触した際に、使用者に流れる電流値を所定電流値以下とすることができる。したがって、漏電遮断器を搭載しない温水洗浄便座装置において、洗浄水を加熱する加熱ヒータの接地が行われていない場合においても、加熱ヒータの漏電により使用者が感電したときに、使用者に流れる電流値を抑制することができる。
【図面の簡単な説明】
【０００９】
【図１】本発明による温水洗浄便座装置を示す斜視図である。
【図２】図１に示す温水洗浄便座装置が備える洗浄ユニットを示す模式図である。
【図３】図２に示す加熱ヒータの軸方向断面図である。
【図４】図２に示す第一接続部材、接地部材および第二接続部材の軸方向断面図である。
【発明を実施するための形態】
【００１０】
以下、本発明による温水洗浄便座装置の一実施形態について説明する。温水洗浄便座装置１は、水道配管３（図２参照）から導入した洗浄水を噴出することにより、人体を洗浄する洗浄機能を有するものである。温水洗浄便座装置１は、図１に示すように腰掛式便器２に取り付けられている。温水洗浄便座装置１は、本体部１０、便座２０および便座２０を覆う便蓋３０を備えている。便座２０および便蓋３０の外郭は、例えばポリプロピレン等の絶縁材料によって形成されている。
【００１１】
本体部１０は、ケーシング１０ａ、洗浄ユニット４０（図２参照）および制御装置５０（図２参照）を備えている。
ケーシング１０ａは、中空の箱状に形成されている。ケーシング１０ａは、例えばポリプロピレン等の絶縁材料によって形成されている。ケーシング１０ａは、便座２０および便蓋３０を回動可能に保持する。ケーシング１０ａは、洗浄ユニット４０および制御装置５０を収容する。
【００１２】
洗浄ユニット４０は、人体の局部の洗浄を行うものである。洗浄ユニット４０は、図２に示すように、給水バルブ４１、温水タンク４２、第一接続ホース４３、接地部材４４、第二接続ホース４５、および、ノズル装置４６を備えている。
【００１３】
給水バルブ４１は、水道配管３（本発明の給水源に相当）に取り付けられた分岐水栓３ａに、洗浄水が流れる第一洗浄水路Ｌ１を介して接続されている。分岐水栓３ａは、水道配管３に流れる上水を洗浄水として第一洗浄水路Ｌ１に導出する。第一洗浄水路Ｌ１は、例えば給水ホースである。
【００１４】
給水バルブ４１は、第一洗浄水路Ｌ１からの洗浄水を温水タンク４２に供給するものである。給水バルブ４１は、給水ホース（第一洗浄水路Ｌ１）と温水タンク４２との間に洗浄水が流れる第二洗浄水路Ｌ２を構成する。給水バルブ４１と温水タンク４２とは、ホース等を介さずに直接接続されている。給水バルブ４１は、ストレーナ４１ａ、逆止弁４１ｂ、定流量弁４１ｃ、止水電磁弁４１ｄおよびリリーフバルブ４１ｅを備えている。
【００１５】
ストレーナ４１ａは、上水に含まれるゴミ等を除去するものである。逆止弁４１ｂは、分岐水栓３ａから温水タンク４２への洗浄水の流れを許容するが、逆方向の流れを規制するものである。定流量弁４１ｃは、第二洗浄水路Ｌ２に流れる洗浄水の流量を一定に維持するものである。
【００１６】
止水電磁弁４１ｄは、開状態である場合に洗浄水の流れを許容し、閉状態である場合に洗浄水の流れを規制する電磁弁である。また、止水電磁弁４１ｄは、通電されている場合に開状態となり、非通電である場合に閉状態となるノーマルクローズ型の電磁弁である。リリーフバルブ４１ｅは、水道配管３から供給された洗浄水を排出することにより、温水タンク４２およびノズル装置４６に供給される洗浄水の圧力を抑制するように調節するものである。
【００１７】
温水タンク４２は、給水バルブ４１からの洗浄水を貯留し、かつ、加熱するものである。温水タンク４２は、人体の局部の洗浄時に加熱された洗浄水（温水）を導出する。温水タンク４２は、タンク部４２ａ、加熱ヒータ４２ｂ、温度センサ４２ｃ、および、導出ポート４２ｄを備えている。
【００１８】
タンク部４２ａは、給水バルブ４１からの洗浄水を内部に導入し、かつ、貯留するものである。タンク部４２ａは、例えばポリプロピレン等の絶縁材料によって中空の箱状に形成されている。
【００１９】
加熱ヒータ４２ｂは、タンク部４２ａに貯留された洗浄水を、制御装置５０から送信される制御信号にしたがって加熱するものである。加熱ヒータ４２ｂは、シーズヒータである。加熱ヒータ４２ｂは、図３に示すように、筒状に形成された導電性を有する銅管のシース４２ｂ１、シース４２ｂ１の内部に設けられた発熱体４２ｂ２、発熱体４２ｂ２とシース４２ｂ１とを絶縁する絶縁体４２ｂ３、および、発熱体４２ｂ２の両端に電気的にそれぞれ接続された複数の端子４２ｂ４を備えている。発熱体４２ｂ２は、例えばニッケルクロムにより形成されたヒータ線である。絶縁体４２ｂ３は、例えば酸化マグネシウム粉末である。
【００２０】
加熱ヒータ４２ｂは、シース４２ｂ１の外表面が洗浄水に直接接触するように、タンク部４２ａに貯留された洗浄水に浸漬されてタンク部４２ａに配置されている。これによって、発熱体４２ｂ２が通電されることにより発生した熱が絶縁体４２ｂ３を介してシース４２ｂ１の外表面に伝達して、洗浄水が加熱される。
【００２１】
温度センサ４２ｃは、タンク部４２ａに貯留された洗浄水の温度を検出するものである。温度センサ４２ｃは、検出結果を制御装置５０に送信する。導出ポート４２ｄは、タンク部４２ａの上端部にタンク部４２ａと一体的に設けられ、タンク部４２ａに貯留された洗浄水を導出するものである。
【００２２】
第一接続ホース４３（本発明の接続部材に相当）は、図２に示すように、温水タンク４２の導出ポート４２ｄと接地部材４４とを接続し、洗浄水が流れる第三洗浄水路Ｌ３を構成するものである。第一接続ホース４３は、例えばシリコンゴム等の絶縁材料にて形成された管状のホースである。
【００２３】
第一接続ホース４３は、図４に示すように、円管状に形成されるとともに、内径を所定の大きさＤにて一定に設定され、かつ、軸線方向に沿った長さＬが後述する所定長さＬｓ以上となるように設定されている。第一接続ホース４３の長さＬは、導出ポート４２ｄおよび接地部材４４との取付部位を除いた、洗浄水が流れる洗浄水路として機能する部位における第一接続ホース４３の軸線方向に沿った長さである。
【００２４】
接地部材４４は、温水洗浄便座装置１の接地を行うものである。接地部材４４は、図４に示すように、本体部材４４ａ、導電部材４４ｂおよびアース線４４ｃを備えている。
本体部材４４ａは、筒状に形成され、内部に洗浄水が流れるものである。本体部材４４ａは、例えばポリプロピレン等の絶縁材料によって形成されている。
【００２５】
導電部材４４ｂは、洗浄水に接触可能に設けられている。導電部材４４ｂは、具体的には、導電部材４４ｂの一部が本体部材４４ａの内部に面するように本体部材４４ａに液密に設けられている。導電部材４４ｂは、例えばアルミニウム等の導電性材料にて形成されている。導電部材４４ｂは、具体的には、制御装置５０に実装された半導体素子５１に固定された放熱部材５２である（後述する）。
【００２６】
アース線４４ｃは、一端が導電部材４４ｂに接続され、他端が接地されたものである。アース線４４ｃの一端は、アースねじ（図示なし）によって、導電部材４４ｂに電気的に接続されている。アース線４４ｃは、他端がケーシング１０ａの外部に露出するように設けられている。アース線４４ｃの他端は、家屋等に設けられた接地極（図示なし）に電気的に接続されることにより接地される。アース線４４ｃの他端は、通常、温水洗浄便座装置１が腰掛式便器２に取り付けられる時に接地極に接続される。
【００２７】
このように、温水洗浄便座装置１が接地部材４４によって接地されることにより、加熱ヒータ４２ｂが、温水タンク４２に貯留された洗浄水および第一接続ホース４３および接地部材４４を流れる洗浄水を介して、導電部材４４ｂ、アース線４４ｃおよび接地極と電気的に直列に接続される。これにより、加熱ヒータ４２ｂが漏電した場合、加熱ヒータ４２ｂからの漏洩電流が接地極（ひいては地中）に流れる（詳細は後述する）。
【００２８】
また、洗浄ユニット４０は、抵抗体をさらに備えている。抵抗体は、加熱ヒータ４２ｂと導電部材４４ｂとを電気的に直列に接続するように設けられ、所定の電気抵抗値を有するものである。抵抗体は、具体的には、加熱ヒータ４２ｂと導電部材４４ｂとの間を接続する第一接続ホース４３および第一接続ホース４３に流れる洗浄水によって構成される。すなわち、抵抗体は、例えば、後述するおしり洗浄が行われる場合に、第一接続ホース４３に洗浄水が流れたときに構成される。
【００２９】
抵抗体の所定の電気抵抗値は、加熱ヒータ４２ｂが漏電し、かつ、温水タンク４２から第一接続ホース４３および接地部材４４に洗浄水が流れた場合に、アース線４４ｃを流れる電流値が所定電流値Ｉｓ以下となるように設定されている。所定電流値Ｉｓは、人体に対して有害な生理的影響の無い電流値である。所定電流値Ｉｓは、例えば１０ｍＡである。人体を流れる電流値が１０ｍＡ以下である場合、一般的に、通電時間にかかわらず、人体に対する有害な生理的影響が無い。抵抗体の所定の電気抵抗値の設定方法については、後述する。
【００３０】
第二接続ホース４５は、図２に示すように、接地部材４４とノズル装置４６とを接続し、洗浄水が流れる第四洗浄水路Ｌ４を構成するものである。第二接続ホース４５は、例えばシリコンゴム等にて形成された管状のホース（図４参照）である。
【００３１】
ノズル装置４６は、第二接続ホース４５からの洗浄水を人体の局部に向けて噴出することにより、人体の局部を洗浄するものである。ノズル装置４６は、切替バルブ４６ａ、おしり洗浄を行う洗浄水を噴出するおしりノズル４６ｂ、および、ビデ洗浄を行う洗浄水を噴出するビデノズル４６ｃを備えている。また、ノズル装置４６は、切替バルブ４６ａとおしりノズル４６ｂとを接続して洗浄水が流れる第五洗浄水路Ｌ５、および、切替バルブ４６ａとビデノズル４６ｃとを接続して洗浄水が流れる第六洗浄水路Ｌ６を備えている。
【００３２】
切替バルブ４６ａは、第二接続ホース４５（第四洗浄水路Ｌ４）からの洗浄水を、制御装置５０からの制御信号にしたがって第五洗浄水路Ｌ５および第六洗浄水路Ｌ６の一方に選択して導出するものである。
【００３３】
給水ホース（第一洗浄水路Ｌ１）、給水バルブ４１（第二洗浄水路Ｌ２）、温水タンク４２（タンク部４２ａ，導出ポート４２ｄ）、第一接続ホース４３（第三洗浄水路Ｌ３）、接地部材４４、第二接続ホース４５（第四洗浄水路Ｌ４）およびノズル装置４６は、洗浄水が流れる洗浄水路を構成する。また、給水ホース、給水バルブ４１、温水タンク４２、第一接続ホース４３、接地部材４４、第二接続ホース４５およびノズル装置４６の順に洗浄水が流れる。上述したように、温水タンク４２に加熱ヒータ４２ｂが配置され、かつ、接地部材４４に導電部材４４ｂが配置されているため、導電部材４４ｂは、洗浄水路において、加熱ヒータ４２ｂより下流側に配置されている。
【００３４】
制御装置５０は、温水洗浄便座装置１を統括制御するものである。制御装置５０は、少なくとも加熱ヒータ４２ｂをオンオフ制御する（後述する）。また、制御装置５０は、加熱ヒータ４２ｂをオンオフ制御するための半導体素子５１（例えばトライアック等のスイッチング素子）が実装されている。半導体素子５１には、放熱部材５２が接触して固定されている。放熱部材５２は、半導体素子５１の放熱を行うもの（ヒートシンク）である。
【００３５】
次に、上述した温水洗浄便座装置１の一般的な動作について説明する。温水洗浄便座装置１の待機状態（おしり洗浄およびビデ洗浄が行われていない状態）においては、制御装置５０は、温度センサ４２ｃによって検出された洗浄水の温度が所定温度（例えば４０℃）となるように、加熱ヒータ４２ｂをオンオフ制御する。なお、温水洗浄便座装置１の待機状態は、温水タンク４２から洗浄水が導出されないため、洗浄水が第一接続ホース４３および接地部材４４の本体部材４４ａを流れない。よって、このとき、加熱ヒータ４２ｂと導電部材４４ｂとが電気的に接続されていない。
【００３６】
おしり洗浄を行うためのスイッチ（図示なし）がオンされた場合、制御装置５０は、おしり洗浄を行う。制御装置５０は、具体的には、止水電磁弁４１ｄを開状態にするとともに、第四洗浄水路Ｌ４と第五洗浄水路Ｌ５とを接続するように切替バルブ４６ａを制御する。これにより、分岐水栓３ａから第一洗浄水路Ｌ１を介して給水バルブ４１に洗浄水が導入される。続けて、洗浄水の圧力が定流量弁４１ｃおよびリリーフバルブ４１ｅによって調整されるとともに、洗浄水が温水タンク４２に導入される。これにより、温水タンク４２に貯留された洗浄水が押し出されるように導出ポート４２ｄから導出される。
【００３７】
さらに、洗浄水が第一接続ホース４３、接地部材４４および第二接続ホース４５を介して切替バルブ４６ａに導入される。洗浄水が接地部材４４を流れる際に、洗浄水と導電部材４４ｂとが接触する。この時、加熱ヒータ４２ｂと導電部材４４ｂとが洗浄水を介して電気的に直列に接続する。そして、洗浄水が切替バルブ４６ａから第五洗浄水路Ｌ５、および、おしりノズル４６ｂを介して噴出されることにより、おしり洗浄が行われる。
【００３８】
上述したおしり洗浄が行われている場合に、おしり洗浄を停止させるスイッチ（図示なし）がオンされた場合、制御装置５０は、おしり洗浄を停止する。制御装置５０は、具体的には、止水電磁弁４１ｄを閉状態にする。これにより、温水洗浄便座装置１が待機状態に戻る。
【００３９】
次に、加熱ヒータ４２ｂの漏電が発生した場合における温水洗浄便座装置１の動作について説明する。加熱ヒータ４２ｂの漏電は、加熱ヒータ４２ｂの劣化等による絶縁体４２ｂ３の絶縁破壊の発生によって、発熱体４２ｂ２とシース４２ｂ１とが短絡して、発熱体４２ｂ２を流れる電流が漏洩電流としてシース４２ｂ１に漏れて流れることにより発生する。
【００４０】
加熱ヒータ４２ｂは、温水タンク４２に貯留された洗浄水に浸漬されているため、加熱ヒータ４２ｂの漏電が発生した場合に、漏洩電流が洗浄水に流れる。さらに、この場合において、おしり洗浄が行われたとき、上述したように、加熱ヒータ４２ｂと導電部材４４ｂとが洗浄水を介して電気的に直列に接続される。また、導電部材４４ｂは、アース線４４ｃを介して接地極に接続されている。よって、おしり洗浄が行われたとき、加熱ヒータ４２ｂからの漏洩電流は、洗浄水を介して、抵抗体、導電部材４４ｂおよびアース線４４ｃを通って接地極（ひいては地中）に流れる。また、このときの漏洩電流の電流値は、抵抗体によって、上述したように所定電流値Ｉｓ以下となる。
【００４１】
次に、アース線４４ｃの他端が接地極に接続されていない場合において、加熱ヒータ４２ｂが漏電したときについて説明する。このときにおいて、加熱ヒータ４２ｂと導電部材４４ｂとが洗浄水を介して電気的に接続され、かつ、使用者がアース線４４ｃの他端に接触した際、加熱ヒータ４２ｂからの漏洩電流が洗浄水を介して、抵抗体、導電部材４４ｂ、アース線４４ｃ、および、使用者の人体を通って地中に流れる場合があると考えられる。この場合、加熱ヒータ４２ｂと地中との間の電気抵抗値が、上述したアース線４４ｃの他端が接地されているときに比べて使用者の人体の電気抵抗値分だけ増加している。よって、この場合、使用者の人体を流れる電流値は、所定電流値Ｉｓより小さくなる。したがって、使用者に有害な生理的影響は無い。
【００４２】
また、アース線４４ｃの他端が接地極に接続されていない場合において、加熱ヒータ４２ｂが漏電したとき、使用者がおしりノズル４６ｂから噴出する洗浄水を介して感電することが考えられる。おしりノズル４６ｂからの洗浄水の噴出は、洗浄水路において抵抗体を構成する第一接続ホース４３より下流側にて行われるため、使用者の人体を流れる電流値は、所定電流値Ｉｓより小さくなる。よって、このときにおいても、使用者に有害な生理的影響は無い。
【００４３】
次に、抵抗体の所定の電気抵抗値の設定方法について説明する。所定の電気抵抗値の設定を行う際、アース線４４ｃの他端が接地極に接続され、加熱ヒータ４２ｂが漏電し、かつ、第一接続ホース４３および接地部材４４に洗浄水が流れたときを前提とする。
【００４４】
第一接続ホース４３が上述したように絶縁材料にて形成されているため、抵抗体における導体は洗浄水のみである。また、第一接続ホース４３に洗浄水が流れる場合、第一接続ホース４３の内部に洗浄水が満たされている。よって、抵抗体の電気抵抗値Ｒは、第一接続ホース４３の流路断面積Ａおよび第一接続ホース４３の長さＬによって定まる。すなわち、抵抗体の電気抵抗値Ｒは、式（１）によって与えられる。ρは電気抵抗率である。電気抵抗率ρは、導体の物質の電流の通りにくさを表す物性値である。
［数１］
Ｒ＝ρ×Ｌ／Ａ  ・・・（１）
【００４５】
ここで、物質の電流の通りやすさを表す物性値である導電率κは、電気抵抗率ρと逆数の関係にある。よって、抵抗体の導電率κは、式（２）によって表すことができる。
［数２］
κ＝１／ρ  ・・・（２）
【００４６】
また、オームの法則から式（３）が与えられる。Ｖは抵抗体の両端にかかる電圧値、Ｉは、電圧値Ｖに応じて抵抗体に流れる電流値である。
［数３］
Ｖ＝Ｒ×Ｉ  ・・・（３）
【００４７】
さらに、式（１）、式（２）および式（３）から式（４）が導出される。
［数４］
Ｉ＝κ×Ｖ×Ａ／Ｌ  ・・・（４）
【００４８】
ここで、導電率κは、洗浄水の水質、洗浄水の圧力および洗浄水の温度によって変動する。これらを考慮して、導電率κを式（５）のようにする。κｔは洗浄水の温度がｔ℃であるときの導電率、Ｃｐは、圧力換算係数である。
［数５］
κ＝Ｃｐ×κｔ  ・・・（５）
【００４９】
洗浄水の水質については、水道法第４条の規定に基づいた「水質基準に関する省令」で規定された水質基準から、導電率κが最大となる水質とする。具体的には、電解質である塩化ナトリウムの濃度を最大濃度２００ｐｐｍとした水道水が洗浄水として設定される。また、洗浄水の温度は、上述したように所定温度（４０℃）となるように制御されているため、洗浄水の温度が所定温度（４０℃）であるときの導電率κ40を算出する。
【００５０】
ＩＥＣ規格には、塩化ナトリウム溶液の温度が２５℃である場合の塩化ナトリウム溶液の濃度と導電率との関係が示されている（ＩＥＣ規格番号ＩＥＣ  ６０７４６−３のＮａＣｌ表）。よって、塩化ナトリウムの濃度が２００ｐｐｍ、かつ、温度が２５℃であるときの洗浄水の導電率κ25は、ＩＥＣ規格から導出可能である。具体的には、導電率κ25は４１．３５ｍＳ／ｍである。
【００５１】
さらに、洗浄水の導電率κは、ＪＩＳ規格（ＪＩＳ規格番号：ＪＩＳ  Ｋ０１０１）から、洗浄水の温度が１℃変化した場合、２％変化するものとする。これらによって、塩化ナトリウムの濃度が２００ｐｐｍ、かつ、温度がｔ℃の洗浄水の導電率κｔは、導電率κ25を基準として式（６）によって表すことができる。
［数６］
κｔ＝κ25×（１＋０．０２（ｔ−２５））  ・・・（６）
よって、上述した導電率κ25の値および式（６）から導電率κ40が導出される。具体的には、導電率κ40は、５３．７６ｍＳ／ｍとなる。
【００５２】
また、本実施形態の温水洗浄便座装置１において、洗浄水路を流れる洗浄水に最大圧力が作用した場合（例えば、おしり洗浄の水勢が最大の場合）の導電率κは、洗浄水に大気圧のみが作用する場合に比べて、およそ１．３倍となる。よって、安全率を考慮して圧力換算係数Ｃｐを１．５とする。
【００５３】
さらに、加熱ヒータ４２ｂが漏電した場合、加熱ヒータ４２ｂにかかる電圧と同じ電圧が抵抗体にかかるとする。加熱ヒータ４２ｂにかかる電圧は、例えば１００Ｖである。よって、Ｖを１００、Ｃｐおよび導電率κ40を上述した値として、式（４）および式（５）から式（７）が導出される。
［数７］
Ｉ＝１．５×５３．７６×１００×Ａ／Ｌ  ・・・（７）
【００５４】
ここで、第一接続ホース４３の長さＬを所定長さＬｓに設定した場合、加熱ヒータ４２ｂの漏電時にアース線４４ｃに流れる電流値を所定電流値Ｉｓとする。また、加熱ヒータ４２ｂの漏電時において、アース線４４ｃに流れる電流値と抵抗体に流れる電流値とが等しいこと、および式（７）から、式（８）が導出される。
［数８］
Ｉｓ＝１．５×５３．７６×１００×Ａ／Ｌｓ  ・・・（８）
【００５５】
さらに、所定電流値Ｉｓが１０ｍＡであることから、Ｉｓを１０として、式（８）から式（９）が導出される。
［数９］
Ｌｓ＝８．０６×１０２×Ａ  ・・・（９）
【００５６】
また、流路断面積Ａは、第一接続ホース４３の内径である所定の大きさＤから算出される。よって、式（９）を満たすように、所定の大きさＤおよび所定長さＬｓを設定する。具体的には、所定の大きさＤが３ｍｍに設定された場合、所定長さＬｓが５．７ｍｍに設定される。そして、第一接続ホース４３の内径が所定の大きさＤに、かつ、長さＬが所定長さＬｓに設定された場合、加熱ヒータ４２ｂが漏電し、かつ、洗浄水路に洗浄水が流れたときに、アース線４４ｃを流れる電流値が所定電流値Ｉｓとなる。
【００５７】
よって、第一接続ホース４３の内径が所定の大きさＤ、かつ、第一接続ホース４３の長さＬが所定長さＬｓ以上に設定された場合、抵抗体の電気抵抗値が、第一接続ホース４３の長さＬが所定長さＬｓである場合の電気抵抗値以上となる。したがって、この場合、加熱ヒータ４２ｂが漏電し、かつ、洗浄水路に洗浄水が流れた場合に、アース線４４ｃを流れる電流値が所定電流値Ｉｓ以下となる。このように第一接続ホース４３の内径が所定の大きさＤに、および、第一接続ホース４３の長さＬが所定長さＬｓ以上に設定されることによって、所定の電気抵抗値が設定される。
【００５８】
本実施形態によれば、温水洗浄便座装置１は、水道配管３から導入した洗浄水を噴出することにより、人体を洗浄する洗浄機能を有する。温水洗浄便座装置１は、洗浄水が流れる洗浄水路と、洗浄水路（温水タンク４２）に設けられ、洗浄水を加熱する加熱ヒータ４２ｂと、洗浄水路における加熱ヒータ４２ｂより下流側にて洗浄水に接触可能に設けられ、導電性を有する導電部材４４ｂと、一端が導電部材４４ｂに接続され、他端が接地されたアース線４４ｃと、加熱ヒータ４２ｂと導電部材４４ｂとを電気的に直列に接続するように設けられ、所定の電気抵抗値を有する抵抗体と、を備えている。所定の電気抵抗値は、加熱ヒータ４２ｂが漏電し、かつ、洗浄水路に洗浄水が流れた場合に、アース線４４ｃを流れる電流値が所定電流値Ｉｓ以下となるように設定されている。
【００５９】
これによれば、導電部材４４ｂがアース線４４ｃの一端に接続され、かつ、アース線４４ｃの他端が接地されている場合において、洗浄水を加熱する加熱ヒータ４２ｂが漏電したとき、洗浄水および導電部材４４ｂを介してアース線４４ｃに流れる電流値が、加熱ヒータ４２ｂと導電部材４４ｂとを電気的に直列に接続する抵抗体によって所定電流値Ｉｓ以下となる。また、洗浄水路において、アース線４４ｃの一端を接続された導電部材４４ｂが加熱ヒータ４２ｂより下流側に設けられている。よって、アース線４４ｃの他端が接地されていない場合において、加熱ヒータ４２ｂが漏電したとき、使用者がアース線４４ｃの他端に接触、または、洗浄水路を通って噴出された洗浄水に使用者が接触した際に、使用者に流れる電流値を所定電流値Ｉｓ以下とすることができる。したがって、漏電遮断器を搭載しない温水洗浄便座装置１において、洗浄水を加熱する加熱ヒータ４２ｂの接地が行われていない場合においても、加熱ヒータ４２ｂの漏電により使用者が感電したときに、使用者に流れる電流値を抑制することができる。
【００６０】
また、抵抗体は、洗浄水路における加熱ヒータ４２ｂと導電部材４４ｂとの間を接続する第一接続ホース４３と、第一接続ホース４３を流れる洗浄水と、によって構成される。
これによれば、抵抗体を比較的簡便に形成することができる。
【００６１】
また、第一接続ホース４３は、管状に形成されるとともに、内径を所定の大きさＤに設定され、かつ、軸線方向に沿った長さＬを所定長さＬｓ以上に設定されている。
これによれば、抵抗体の所定の電気抵抗値を比較的簡便に設定することができる。
【００６２】
また、導電部材４４ｂは、加熱ヒータ４２ｂを少なくとも制御する制御装置５０に実装された半導体素子５１の放熱を行う放熱部材５２である。
これによれば、新たに追加する部品の点数を抑制しつつ、導電部材４４ｂを構成することができる。よって、温水洗浄便座装置１の低コスト化を図ることができる。
【００６３】
なお、上述した実施形態において、温水洗浄便座装置の一例を示したが、本発明はこれに限定されず、他の構成を採用することもできる。例えば、導電部材４４ｂは、放熱部材５２であるが、これに代えて、例えば切替バルブ４６ａの金属部にしても良い。また、導電部材４４ｂを、温水洗浄便座装置１が新たに備える金属等の導電性部材とするようにしても良い。
【００６４】
また、上述した実施形態において、温水タンク４２が洗浄水を貯留しているが、これに代えて、温水タンク４２が洗浄水を貯留しないようにしても良い。この場合、例えばおしり洗浄が行われたとき、洗浄水が加熱ヒータ４２ｂと接触する際に、洗浄水の温度が所定温度となるようにしても良い。なお、この場合、加熱ヒータ４２ｂをセラミックヒータにて構成するようにしても良い。
【００６５】
また、上述した実施形態において、第一接続ホース４３の内径は、所定の大きさＤを一定とするように形成されているが、これに代えて、内径が変化するように形成するようにしても良い。また、第一接続ホース４３は、絶縁材料にて形成されているが、これに代えて、導電性材料にて形成するようにしても良い。
【００６６】
また、本発明の要旨を逸脱しない範囲において、第一接続ホース４３の形状や個数、本体部材４４ａの形状、導電部材４４ｂを構成する部材、加熱ヒータ４２ｂの形状を変更しても良い。
【符号の説明】
【００６７】
１…温水洗浄便座装置、２０…便座、３０…便蓋、４０…洗浄ユニット、４２…温水タンク、４２ｂ…加熱ヒータ、４３…第一接続ホース（接続水路）、４４…接地部材、４４ａ…本体部材、４４ｂ…導電部材、４４ｃ…アース線、４５…第二接続ホース、４６…ノズル装置、５０…制御装置、５１…半導体素子、５２…放熱部材、Ｉｓ…所定電流値。
【図１】
0006672939.tif 000002
【図２】
0006672939.tif 000003
【図３】
0006672939.tif 000004
【図４】
0006672939.tif 000005